(57)【要約】【課題】  本発明は、購入申込の前段階で、希望する映像コンテンツの予告編映像を申込者の携帯端末に送信して、映像コンテンツの購入申込に際しての便宜に供せられるようにした携帯端末を利用した映像コンテンツの販売システムを提供せんとするものである。【解決手段】  映像コンテンツのＣＭコンテンツを制作するためのエンコード処理部と、このエンコード処理部から受け取ったＣＭコンテンツを保管し、携帯端末からの送信要求に基づき、このＣＭコンテンツを携帯端末に配信するためのアーカイブ部とを通信回線接続又はインターネット接続し、このアーカイブ部と携帯端末とをインターネット接続し、携帯端末からのＣＭコンテンツの送信要求があった際に、アーカイブ部から当該携帯端末にＣＭコンテンツを送信し、携帯端末から販売管理部に映像コンテンツの購入申込があった際には、この販売管理部と携帯端末間で代金決済と映像コンテンツの発送処理が行われる。【選択図】  図１
2006059114.tif 000002
【特許請求の範囲】
【請求項１】
携帯端末からインターネット介して、映像コンテンツの購入申込が行なえる映像コンテンツの販売システムにおいて、
映像コンテンツのＣＭコンテンツを制作するためのエンコード処理部と、このエンコード処理部から受け取ったＣＭコンテンツを保管し、携帯端末からの送信要求に基づき、このＣＭコンテンツを携帯端末に配信するためのアーカイブ部とを通信回線接続又はインターネット接続し、
このアーカイブ部と携帯端末とをインターネット接続し、
携帯端末からのＣＭコンテンツの送信要求があった際に、アーカイブ部から当該携帯端末にＣＭコンテンツを送信し、
ついで携帯端末から販売管理部に映像コンテンツの購入申込があった際には、この販売管理部と携帯端末間で代金決済と映像コンテンツの発送処理が行われるようになっていることを特徴とする携帯端末を利用した映像コンテンツの販売システム。
【請求項２】
携帯端末が携帯電話である請求項１記載の携帯端末を利用した映像コンテンツの販売システム。
【請求項３】
アーカイブ部から携帯端末にＣＭコンテンツを送信し、当該端末のディスプレイ上にそのＣＭコンテンツが表示された後に、そのディスプレイ上に、映像コンテンツ購入のための申し込み画面が表示されるようになっていることを特徴とする請求項１又は２記載の携帯端末を利用した映像コンテンツの販売システム。
【発明の詳細な説明】
【技術分野】
【０００１】
本発明は携帯端末を利用した映像コンテンツの販売システムに係り、さらに詳しくは、各個人が所有する携帯電話等の携帯端末から、映像コンテンツ（ＤＶＤ，ＶＩＤＥＯ等の媒体に記録したものを含む）の購入申込ができるようにしたものであって、特に注目すべき点は、購入申込の前段階で、希望する映像コンテンツの予告編映像を申込者の携帯端末に送信して、映像コンテンツの購入申込に際しての便宜に供せられるようにした携帯端末を利用した映像コンテンツの販売システムに関する。
【背景技術】
【０００２】
従来、携帯端末から各種商品の購入申込をする販売システムは、各種のものが知られている。
そのなかには、音楽コンテンツや映像コンテンツを、インターネットなどを介して、申込者の携帯端末にダウンロードさせるようにしたものなども知られている。
【０００３】
【特許文献１】特開平９−２７９５１号公報
【特許文献２】特開２００２−１８５９４６号公報
【特許文献３】特開２００２−２４５２６３号公報
【発明の開示】
【発明が解決しようとする課題】
【０００４】
しかしながら上記の特許文献１〜３に示された映像コンテンツの販売システムは、いずれも購入申込に際して、購入対象たる映像コンテンツに関する予告編に相当するＣＭコンテンツが備えられていなかったため、申込者は購入しようとするコンテンツの内容のさわりをのぞき見ることができず、さらには興味をそそられるような勧誘を提供者側から受けることもなかったので、映像コンテンツを購入しようとする意欲がそがれ、提供者側からすれば効率的なコンテンツの販売を行なえないという問題点があった。
【０００５】
本発明は、上記の問題点を解消し、申込者に購入意欲を沸き立たせ、販売者側から見れば効率的な映像コンテンツの販売を行なえるようにした、携帯端末を利用した映像コンテンツの販売システムを提供せんとするものである。
【課題を解決するための手段】
【０００６】
上記目的を達成するために、請求項１記載の発明は、携帯端末からインターネット介して、映像コンテンツの購入申込が行なえる映像コンテンツの販売システムにおいて、映像コンテンツのＣＭコンテンツを制作するためのエンコード処理部と、このエンコード処理部から受け取ったＣＭコンテンツを保管し、携帯端末からの送信要求に基づき、このＣＭコンテンツを携帯端末に配信するためのアーカイブ部とを通信回線接続又はインターネット接続し、このアーカイブ部と携帯端末とをインターネット接続し、携帯端末からのＣＭコンテンツの送信要求があった際に、アーカイブ部から当該携帯端末にＣＭコンテンツを送信し、ついで携帯端末から販売管理部に映像コンテンツの購入申込があった際には、この販売管理部と携帯端末間で代金決済と映像コンテンツの発送処理が行われるようになっていることを特徴とする携帯端末を利用した映像コンテンツの販売システムである。
【０００７】
請求項２記載の発明は、携帯端末が携帯電話である請求項１記載の携帯端末を利用した映像コンテンツの販売システムである。
【０００８】
請求項３記載の発明は、アーカイブ部から携帯端末にＣＭコンテンツを送信し、当該端末のディスプレイ上にそのＣＭコンテンツが表示された後に、そのディスプレイ上に、映像コンテンツ購入のための申し込み画面が表示されるようになっていることを特徴とする請求項１又は２記載の携帯端末を利用した映像コンテンツの販売システムである。
【発明の効果】
【０００９】
以上述べたように、本発明の請求項１及び２の携帯端末を利用した映像コンテンツの販売システムによれば、映画館における予告編に相当するＣＭコンテンツを携帯端末のディスプレイ上に表示できることから、申込者は購入しようとするコンテンツの内容のさわりをのぞき見ることができ、さらには興味をそそられるような勧誘を提供者側から受けることができるので、映像コンテンツを購入しようとする意欲が高まり、提供者側からすれば効率的なコンテンツの販売を行う機会が得られるという効果がある。
【００１０】
また請求項３の携帯端末を利用した映像コンテンツの販売システムによれば、ＣＭコンテンツが表示された後に、そのディスプレイ上に、映像コンテンツ購入のための申し込み画面が表示されるため、映像コンテンツの購入申込手続が簡便に、かつ効率的に行なえるという効果がある。
【発明を実施するための最良の形態】
【００１１】
以下添付図面に基づいて、本発明に係る携帯端末を利用した映像コンテンツの販売システムの実施の形態を詳説する。
図１は本発明が対象とするシステム全体の構成図であり、図２は映像コンテンツのラインナップと購入申込の手続の流れの説明図、図３は携帯端末のディスプレイ上の表示の一例を示す斜視図、図４及び図５は携帯端末のディスプレイ上の決済画面のステップ図である。
【００１２】
図１に示すように、本発明はエンコード処理部１、アーカイブ部２、携帯端末３、販売管理部４で構成され、エンコード処理部１とアーカイブ部２の間はＡＤＳＬやＩＳＤＮのような通信回線を使用した通信回線接続か、あるいはインターネット接続でつながれている。
またアーカイブ部２と携帯端末３の間はインターネット接続でつながれている。
さらに販売管理部４とアーカイブ部２の間は通信回線接続か、あるいはインターネット接続でつながれている。
【００１３】
ここでエンコード処理部１を説明すると、エンコード処理部１は映像コンテンツの配給会社５から、映像コンテンツの予告編に相当するＣＭコンテンツ６の提供を受ける。このＣＭコンテンツ６の提供を受けたエンコード処理部１は、ＣＭコンテンツ６の情報を適宜の仕様のファイルにエンコードし、そのエンコードされたファイルをアーカイブ部２に送信する。
【００１４】
ついでアーカイブ部２は、エンコード処理部１から受け取ったファイルを配信サーバ７に記録して保管する。
このファイルは、ＣＭコンテンツ６の内容で構成されており、アーカイブ部２の配信サーバ７に、携帯端末３を使用する顧客８からＣＭコンテンツ６の送信要求があった場合には、その携帯端末３にＣＭコンテンツ６を送信する。
ここでＣＭコンテンツ６の送信要求の前提として、顧客８には本発明システム運営者から映像コンテンツ９のラインナップ情報を受け取っておく必要がある（図２参照）。
【００１５】
ラインナップ情報の区分けとしては、例えば最新作（来月発売、今月発売）、ランキング（システム運営者の集計による）、特集（作品特集、お買い得商品特集）、検索購入などの階層図を用意しておき、この階層図から顧客８により自由に選択された好みの映像コンテンツ９を携帯端末３上で選択できるようにしておく。
この選択に基づき、選択された映像コンテンツ９に対応するＣＭコンテンツ６の送信要求が実行される。
【００１６】
顧客８は配信サーバ７から送信されたＣＭコンテンツ６を鑑賞することで、目的の映像コンテンツ９の購入のための動機付けが行なわれる。
ここでＣＭコンテンツ６の内容としては、動画を中心として、一部を静止画情報とすることなどが好ましいが、作品の内容、またはシステムの運営上の理由からその提供情報の形態は自由に選択される。携帯端末３のディスプレイ１０に動画や流れ文字情報を表示した場合には、顧客８への訴求力が大きくなる。
【００１７】
図３に示すように、携帯端末３のディスプレイ１０上には、図２の手続の流れに従った適宜の画面が表示され、次いで図４及び図５の決済画面が表示されて本システムの売買システムが実行される。
【００１８】
具体例について説明すると、顧客８は携帯端末３からアーカイブ部２に対して、図２の階層図から選択した特定の作品のＣＭコンテンツ６の送信を要求する。
この要求にしたがって、アーカイブ部２の配信サーバ７から要求されたＣＭコンテンツ６が当該携帯端末３に送信される。
【００１９】
顧客８はそのＣＭコンテンツ６を鑑賞した後、希望する場合には映像コンテンツ９の購入申込（買物かご）を行なうが、この申込に際しては後の代金回収を確実に実行するため既存の課金システムを利用することになる。この既存の課金システムを利用するために、一例として顧客８の事前登録用の入会手続を要求することが便利であり、図４の流れ上ではまず会員であるか否かの質問を行い、会員であればそのまま購入申込の画面に移行し、もし会員でない場合には一旦入会画面に移行して入会手続を行なう。入会後は、直ちに購入画面に移行するので、上記の購入申込が簡単に行なえる。
【００２０】
つぎに映像コンテンツ９の購入申込の最終段階として、図５に示すような購入代金の決済方法を確認するための確認画面が表示され、クレジットカードでの支払いとか、コンビニエンスストアでの支払いとかの適宜の決済手段をチェックすることで全ての手続は完了する。
【００２１】
なおアーカイブ部から携帯端末にＣＭコンテンツを送信し、当該端末のディスプレイ上にそのＣＭコンテンツが表示された後に、そのディスプレイ上に、映像コンテンツ購入のための申し込み画面が表示されるようにしておくと、顧客８は購入申込の手続をなんらの煩わしさも感ずることなく円滑に進められるので、顧客及びシステム運営者の双方にとって大変便利なものとなる。
【００２２】
また顧客８からの購入申込は、図１に示すように販売管理部４に通知される。この販売管理部４において、上記した購入代金の決済業務が行なわれ、正しい購入申込があった場合には、映像コンテンツの配給会社５に出荷の指示を出し、配給会社５は、注文された映像コンテンツ９を販売管理部４または顧客８に出荷（配送）することで、上記のシステムは完結する。
【００２３】
上記のシステムによれば、販売用の映像コンテンツ９は、郊外などスペースが十分確保できる場所に在庫センター（配給会社５）を設けておき、その在庫センターは販売管理部４の指示で映像コンテンツ９を出荷先に出荷（配送）するだけで販売が滞りなく行なわれる。
【００２４】
上記のエンコード処理部１と販売管理部４は、必要に応じて統合することもでき、また配給会社５と統合することも可能である。
本システムによれば、複数の配給会社５の映像コンテンツ９の作品を一堂に集中管理することができるので、顧客８は個別の配給会社５ごとにアクセスする必要がなくなり、その利便性は計り知れないものがある。
【産業上の利用可能性】
【００２５】
本発明の携帯端末を利用した映像コンテンツの販売システムは、映像コンテンツを販売するあらゆる場面において利用することが可能である。
【図面の簡単な説明】
【００２６】
【図１】本発明が対象とするシステム全体の構成図である。
【図２】映像コンテンツのラインナップと購入申込の手続の流れの説明図である。
【図３】携帯端末のディスプレイ上の表示の一例を示す斜視図である。
【図４】携帯端末のディスプレイ上の決済画面のステップ図である。
【図５】携帯端末のディスプレイ上の決済画面のステップ図である。
【符号の説明】
【００２７】
１…エンコード処理部
２…アーカイブ部
３…携帯端末
４…販売管理部
５…映像コンテンツの配給会社
６…ＣＭコンテンツ
７…配信サーバ
８…顧客
９…映像コンテンツ
１０…携帯端末のディスプレイ
【図１】
2006059114.tif 000003
【図２】
2006059114.tif 000004
【図３】
2006059114.tif 000005
【図４】
2006059114.tif 000006
【図５】
2006059114.tif 000007